(57)【要約】      （修正有）【課題】宅地造成の境界壁工事、道路の路肩工事等の擁壁構築工事において、擁壁用Ｌ型コンクリートブロックを据付ける際に、施工時間の短縮と、基礎造成作業の効率化を図ることができる基礎側嵌合構造を提供する。【解決手段】基礎土３６の上に造成した基礎コンクリート２３の上側に、間隔をあけて対向させた長手方向型枠１を長手方向に連続させると共に、この間隔を適宜距離に仕切って区画し、この区画内にコンクリートを打込んで基礎コンクリート２３の上に略水平面のＬ型ブロック基礎台７を造成し、このコンクリートの凝固する前に、その上側に配置した上面型枠４に追加コンクリートを充填する事、又は、その上側に、嵌合構造を上面に有する成形基礎ブロックを配置して固定する事により、Ｌ型ブロック基礎台７の上面に、据付ける擁壁用Ｌ型ブロックの垂直壁底面に設けたブロック側嵌合構造と合致して嵌合する、基礎側嵌合構造を構成した事を特徴としている。【選択図】図３
2007170153.tif 000002
【特許請求の範囲】
【請求項１】
基礎土の上に造成した基礎コンクリートの上側に、間隔をあけて対向させた長手方向型枠を長手方向に連続させると共に、この間隔を適宜距離に仕切って区画し、この区画内にコンクリートを打込んで、基礎コンクリートの上に略水平面のＬ型ブロック基礎台を造成し、このコンクリートの凝固する前に、その上側に配置した上面型枠に追加コンクリートを充填する事により、Ｌ型ブロック基礎台の上面に、据付ける擁壁用Ｌ型ブロックの垂直壁底面に設けたブロック側嵌合構造と合致して嵌合する、基礎側嵌合構造を構成した事を特徴とする擁壁用Ｌ型コンクリートブロックを利用する擁壁構築の基礎施工法。
【請求項２】
基礎土の上に造成した基礎コンクリートの上側に、間隔をあけて対向させた長手方向型枠を長手方向に連続させると共に、この間隔を適宜距離に仕切って区画し、この区画内にコンクリートを打込んで、基礎コンクリートの上に略水平面のＬ型ブロック基礎台を造成し、このコンクリートの凝固する前に、嵌合構造を上面に有する成形基礎ブロックをその上側に配置し、コンクリートにより基礎コンクリートに固定する事により、Ｌ型ブロック基礎台の上側の嵌合構造が、据付ける擁壁用Ｌ型ブロックの垂直壁底面に設けたブロック側嵌合構造と合致して嵌合する、基礎側嵌合構造を構成する事を特徴とする擁壁用Ｌ型コンクリートブロックを利用する擁壁構築の基礎施工法。
【請求項３】
上面型枠は、下向き突起を設けた嵌合穴用型枠４Ａ、長手方向下向き突起を設けた長手方向嵌合溝用型枠４Ｂ、幅方向下向き突起条を設けた嵌合凹部用型枠４Ｃ等の下向き突出部を備え、かつ、共に追加コンクリート充填用欠除部を有する型枠により構成する事を特徴とする、請求項１に記載の擁壁用Ｌ型コンクリートブロックを利用する擁壁構築の基礎施工法。
【請求項４】
上面型枠は、上向き筒体を設けた突起用型枠４Ｆ、長手方向又は幅方向の上向き突起枠の対向壁の間に間隔穴を設けた長手方向突起用条型枠４Ｇ、幅方向突起条用型枠４Ｈ、段差用型枠４Ｋ、周囲を囲まれた長孔を設けた単一突部用型枠４Ｊ等の上向き突出部を備えた型枠により構成する事を特徴とする、請求項１に記載の擁壁用Ｌ型コンクリートブロックを利用する擁壁構築の基礎施工法。
【請求項５】
擁壁用Ｌ型ブロックを利用する擁壁構築の基礎造成において、基礎土の上の基礎コンクリートの上面に造成したＬ型ブロック基礎台の上面側に、下向き突出部を備えた上面型枠を配置して、追加コンクリートを充填する事により、嵌合穴、長手方向嵌嵌合溝、幅方向嵌合溝、二段の長手方向段差、等の嵌合凹部を成形し、Ｌ型ブロック基礎台の上面に、据付ける擁壁用Ｌ型ブロクの垂直壁底面のブロック側嵌合構造に嵌合する基礎側嵌合構造を設けた事を特徴とする擁壁用Ｌ型ブロックを利用する擁壁の基礎構造。
【請求項６】
擁壁用Ｌ型ブロックを利用する擁壁構築の基礎造成において、基礎土の上の基礎コンクリートの上面に造成したＬ型ブロック基礎台の上面側に、上向き突出部を備えた上面型枠を配置して、追加コンクリートを充填する事により、嵌合突起、長手方向突起条、幅方向突起条、等の嵌合突起部を成形し、Ｌ型ブロック基礎台の上面に、据付ける擁壁Ｌ型ブロックの垂直壁底面のブロック側嵌合構造に嵌合する基礎側嵌合構造を設けた事を特徴とする擁壁用Ｌ型ブロックを利用する擁壁の基礎構造。
【発明の詳細な説明】
【技術分野】
【０００１】  本発明は、擁壁用Ｌ型コンクリートブロック（以下、擁壁用Ｌ型ブロックという）を利用する宅地造成の境界壁や道路の路肩等の、擁壁構築の基礎を造成する施工法と完成後の基礎構造に関する。
【背景技術】
【０００２】  擁壁用Ｌ型ブロックを使用して擁壁を構築する場合、従来は図３１に例示する通り、基礎土３６の上に水平面の基礎コンクリート２３を造成し、その上に成形された基礎ブロック３５を順次敷設し、この基礎ブロック３５の上に擁壁用Ｌ型ブロック３を順次据付けて固定するという施工法であった。そして、基礎ブロック３５及び擁壁用Ｌ型ブロック３の根元部分は、施工後に地表面下に埋め込んでいた。【０００３】  この場合、擁壁用Ｌ型ブロックは、多用する通常のものでも、重量１トン、高さ２ｍもあるので、正規位置に据え付ける作業は能率が低下する為、先ず、軽量、小形で作業性のよい基礎ブロックを基礎コンクリー２３上に水平状に敷設して基礎面を造成する事が行われているが、従来の基礎ブロックは、擁壁用Ｌ型ブロック３’を載置するだけの効用で、単なる載置台であり、据付ける擁壁用Ｌ型ブロックの据付け位置決めや連結、固定ができる構造ではなかった。また、基礎コンクリート２３の上面も、擁壁用Ｌ型ブロック３’の据付け位置決めや、その底面を嵌合して固定する構造及び形状ではなく、単に基礎ブロク３５を載置して敷設するだけの平面であった。
【発明の開示】
【発明が解決しようとする課題】
【０００４】  従来の擁壁用Ｌ型ブロックを利用する擁壁構築の基礎の施工法は、基礎コンクリート上に敷設した基礎プロック３５は、擁壁用Ｌ型ブロック３’を載置するだけの単なる載置台の効用に留まったので、基礎ブロック３５の固定及びその上に据付ける重量、寸法のきい擁壁用Ｌ型ブロック３’の位置決めの調整と固定の作業は、施工工事が機械化したとはいえ、施工効率の低下の要因であり、工期延長の原因ともなっていた。【０００５】  本発明は、基礎コンクリート２３の造成に続いて、その上に、コンクリートを打ち込んでＬ型ブロック基礎台７を造成する際、コンクリートの凝固前に、その上面に配置した上面型枠に追加コンクリートを充填して基礎側嵌合構造を成形する施工法であり、工事現場において、基礎コンクリートと、上面に嵌合構造を設けたその上側のＬ型ブロック基礎台７を一体化するものである。
【課題を解決するための手段】
【０００６】  擁壁用Ｌ型ブロックの基礎である基礎ブロックに要求される要件は、基礎コンクリートへの固定、据付けた擁壁用Ｌ型ブロックとの連結、固定、等に対して有効な構造、形状であるという事である。本発明による基礎施工法は、基礎コンクリートや擁壁用Ｌ型ブロックとの連結要件が不備である従来の基礎ブロックとは異なり、工事現場において、基礎コンクリートの打込みと同時進行で施工する事ができる能率的な施工法であり、又、基礎コンクリートの上面に造成されるＬ型ブロック基礎台は、擁壁の構築方向に一体化して連続し、その上面の基礎側嵌合構造は擁壁用Ｌ型ブロックの垂直壁底面を連結して固定するので、基礎ブロックに要求される要件を充足する条件を具備する構造、形状であり、結果として、上面に据付けた擁壁用Ｌ型ブロックの滑動、傾倒、沈降、転倒等の移動を防止する為に有効に作用する。【０００７】  本発明に係る基礎施工法は、基礎土３６の上に造成した基礎コンクリート２３の上側に、工事現場においてコンクリートを打込んで、上面が略水平面に形成されたＬ型ブロック基礎台７を造成し、その上側に上面型枠を設置し、打込んだＬ型ブロック基礎台７のコンクリートが凝固する前に上面型枠に追加コンクリート２２を充填して、Ｌ型ブロック基礎台７の上面に、擁壁用Ｌ型ブロック３の垂直壁底面に形成されたブロック側嵌合構造と合致して嵌合する基礎嵌合構造を成形する施工法であり、上面に基礎嵌合構造を設けたＬ型ブロック基礎台７は、基礎コンクリート２３と一体化した状態で基礎コンクリート２３と共に連続する。
【発明の効果】
【０００８】  本発明による施工法では、Ｌ型ブロック基礎台の上面の基礎側嵌合構造を成形する為の追加コンクリート充填は、Ｌ型ブロック基礎台の上側に配置した上面型枠に充填する事により行うが、Ｌ型ブロック基礎台へ充填したコンクリートの凝固前に続けて行うので、Ｌ型ブロック基礎台へのコンクリートの充填と殆ど同時進行で作業時間の無駄なく施工する事ができる。又、上面型枠に充填する追加コンクリートは、殆ど基礎側嵌合構造の成形に要するだけてあるから小量で足り、Ｌ型ブロック基礎台７の上面を水平面とする事や、凹凸により構成される基礎嵌合構造は、成形する事が容易であり、この際、ボルト等の鉄材を埋め込んで補強する事も簡単に行う事ができる。【０００９】  従来は、基礎コンクリートを水平面に形成しなければ基礎ブロックを水平状態に据付ける事が困難であるから、基礎コンクリートの打込み時と基礎ブロックの敷設時の２回に亘って水平面形成の調整を行っていたが、本発明の施工法においては、水平面形成の調整はＬ型ブロック基礎台の造成時の１回だけで足りるので、施工時間が短縮され、基礎造成作業は極めて能率的となる。
【発明を実施するための最良の形態】
【００１０】  本発明は、図１、図２、図３及び図１８、図１８、図２０に示す通り、基礎土３６の上に造成した基礎コンクリート２３の上側に、間隔をあけて対向させた長手方向型枠１を長手方向に連続させると共に、この間隔を適宜距離に仕切って区画し、この区画内にコンクリートを打込んで基礎コンクリート２３の上に略水平面のＬ型ブロック基礎台７を造成する。次に、この打込んだコンクリートの凝固する前に、その上側に配置した上面型枠４に追加コンクリート２２を充填する事により、図４に示す通り、Ｌ型ブロック基礎台７の上面に、据付ける擁壁用Ｌ型ブロック３の垂直壁底面に設けたブロック側嵌合構造と合致して嵌合する、基礎側嵌合構造を構成する事ができ、る壁構築の基礎施工法及び完工した基礎構造である。図１、図２、図３の上面型枠４は突起用型枠であり、図４に示すブロック側嵌合構造はＬコン嵌合凹部１２であり、基礎側嵌合構造は嵌合突起２５である。【００１１】  本発明により完工した基礎構造には、図５に示す通り、Ｌ型ブロック基礎台７の上に擁壁用Ｌ型ブロック３を据付けて、垂直壁底面に設けたＬコン嵌合凹部１２にＬ型ブロック基礎台７の嵌合突起２５を嵌入して連結し固定する。本発明による擁壁用Ｌ型ブロック３は、図６にも示す通り、底面にブロック側嵌合構造を設けた垂直壁８と、この垂直壁に１０５度の角度で連結されコンクリート充填孔１０を設けた底板９と、垂直壁８と底板９に連結する支持部１１により構成される。擁壁用Ｌ型ブロック３は、Ｌ型ブロック基礎台７に据付けて固定した後、底板９のコンクリート充填孔１０から基礎コンクリート２３と底板９の間にコンクリートを充填し、基礎を堅固に構築した後、擁壁用Ｌ型ブロック３の背面側（底板側）は垂直壁８の上端まで埋め土２４して上段地表１３を造成し、前面側は根元部分を埋めて下段地表１４を造成する。【００１２】  図６は、本発明に係る基礎構造の上面に据付ける擁壁用ブロック３の斜視図であり、ブロック側嵌合構造は、前述の垂直壁底面と同様に、Ｌコン嵌合凹部１２を例示してある。図７より図１７は、本発明に係る基礎施工法に使用する上面型枠の実施例を示す。
【実施例１】
【００１３】  図７は、基礎側嵌合構造として、嵌合穴６を設ける場合に使用する上面型枠で、複数の下向き突起５と追加コンクリート充填用欠除部３１を設けた嵌合穴用型枠４Ａの実施例である。
【実施例２】
【００１４】  図８は、基礎側嵌合構造として、長手方向下向き突起２５を設ける場合に使用する上面型枠で、連続する長手方向下向き突起１５と追加コンクリート充填用欠除部３１を設けた長手方向嵌合溝用型枠４Ｂの実施例である。
【実施例３】
【００１５】  図９は、基礎側嵌合構造として、幅方向嵌合溝２６を設ける場合に使用する上面型枠で、幅方向下向き突起条１６と追加コンクリート充填用欠除部３１を設けた嵌合凹部用型枠４Ｃの実施例である。
【実施例４】
【００１６】  図１０は、基礎側嵌合構造として、嵌合穴６を設ける場合に使用する上面型枠で、１個の下向き突起５と追加コンクリート充填用欠除部３１を設けた単一嵌合穴用型枠４Ｄの実施例である。
【実施例５】
【００１７】  図１１は、基礎用嵌合構造として、長凹部を設ける場合に使用する上面型枠で、１個の幅方向下向き突起１６と追加コンクリート充填用欠除部３１を設けた単一嵌合凹部用型枠４Ｅの実施例である。図１０及び図１１の実施例の上面型枠は、１個用であるから、設置位置が定まれば取扱いが容易で便利である。
【実施例６】
【００１８】  図１２は、基礎用嵌合構造として、嵌合突起２５を設ける場合に使用する上面型枠で、コンクリートを充填して嵌合突起２５を成形する為の２個の上向き筒体１７を設けた突起用型枠４Ｆの実施例である。
【実施例７】
【００１９】  図１３は、基礎用嵌合構造として、長手方向突起条２７を設ける場合に使用する上面型枠で、対向する２枚の上向き突起枠２１と、コンクリートを充填して上向き突起条２１を成形する為、その間に間隔部１８を設けた長手方向突起条用型枠４Ｇの実施例である。
【実施例８】
【００２０】  図１４は、基礎用嵌合構造として、幅方向突起条２９を設ける場合に使用する上面型枠で、対向する上向き突起枠２１と、コンクリートを充填する為、その間に間隔部１８を設けた幅方向突起条用型枠４Ｈの実施例斜視図である。図１３及び図１４に示す実施例の上面型枠は、間隔部１８に鉄筋を入れ埋め込む事も可能である。
【実施例９】
【００２１】  図１５は、基礎用嵌合構造にとして、嵌合突起２５を設ける場合に使用する上面型枠で、コンクリートを充填する１個の上向き筒体１７を設けた単一突起用型枠４Ｉの実施例である。
【実施例１０】
【００２２】  図１６は、基礎用嵌合構造として、幅方向長突起を設ける場合に使用する上面型枠で、突出した枠で囲まれた１個の上向き長孔２０を設けた単一突部用型枠４Ｊの実施例である。図１５及び図１６の実施例に示す上面型枠は突起１個用であるから、設置位置が定まれば取扱いか容易であり、又、この部分にボルト等を埋め込んで強固にする事も簡単にできる。
【実施例１１】
【００２３】  図１７は、基礎用嵌合構造として、長手方向段差３０を設ける場合に使用する上面型枠で、間隔支持片１９に支持されて対向する上向き突起枠２１と、コンクリートを充填して上段を形成する為に、その間に間隔部１８を設けた段差用型枠４Ｋの実施例である。
【実施例１２】
【００２４】  図１８から図２１は本発明に係る基礎施工法を示し、これら実施例すべてにおいて、Ｌ型ブロック基礎台７のコンクリートが凝固する前に、基礎側嵌合構造を成形する為の追加コンクリートを充填する事は基本条件である。図１８は、上面枠体に長手方向嵌合溝用型枠４Ｂを使用した基礎施工法の実施例を示した幅方向縦断面図で、Ｌ型ブロック基礎台７の上の追加コンクリート２２は、図８に示した追加コンクリート充填用欠除部３１から充填する。長手方向下向き突起１５の位置部分は、Ｌ型ブロック基礎台７の造成時に予め凹ませておく事が必要である。
【実施例１３】
【００２５】  図１９は、上面型枠に長手方向突起条用型枠４Ｇを使用した基礎施工法の実施例を示した幅方向縦断面図で、Ｌ型ブロック基礎台７の上の追加コンクリート２２は、図１３に示した間隔部１８から充填し、長手方向突起条２７を成形するので作業性は良好である。
【実施例１４】
【００２６】  図２０は、上面型枠は、段差用型枠４Ｋを使用した基礎施工法の実施例を示した幅方向縦断面図で、Ｌ型ブロック基礎台７の上の追加コンクリート２２は、図１７に示す間隔部１８から充填するので、図１３の実施例同様に上段を成形する作業性は良好である。
【実施例１５】
【００２７】  Ｌ型ブロック基礎台７の上に据付ける擁壁用Ｌ型ブロック３は、寸法が多種あり高さのの異なるものが多くある。従って、構築する擁壁の高さに対応して、垂直壁８を傾斜させた状態で固定する必要が発生する事がある。こうした場合に対応させて、Ｌ型ブロック基礎台７の上面を傾斜面に構成する要求が生じる。図２１はこのような要求に対応するＬ型ブロック基礎台７の実施例を示し、基礎コンクリート２３上のＬ型ブロック基礎台７の上面を、下段が傾斜面に形成された二段の長手方向段差に構成し、下段段差に据付ける擁壁用Ｌ型ブロックを傾斜させた状態で固定する実施例の斜視図である。従って、下段を傾斜面に形成する為に、平板を傾斜板にした型枠にすると便利である。
【実施例１６】
【００２８】  図２２から図２８は、本発明に係るＬ型ブロック基礎台７で、上面に構成する基礎側嵌合構造の実施例を示す。図２２は、Ｌ型ブロック基礎台７の水平上面に、ブロック側嵌合構造に嵌合する基礎側嵌合構造として、嵌合穴６を設けた実施例である。
【実施例１７】
【００２９】  図２３は、本発明に係るＬ型ブロック基礎台で、Ｌ型ブロック基礎台７の水平上面に、、ブロック側嵌合構造に嵌合する基礎側嵌合構造として、嵌合突起２５を設けた実施例である。
【実施例１８】
【００３０】  図２４は、本発明に係るＬ型ブロック基礎台で、Ｌ型ブロック基礎台７の水平上面に、ブロック側嵌合構造に嵌合する基礎側嵌合構造として、長手方向嵌合溝２６を設けた実施例である。
【実施例１９】
【００３１】  図２５は、本発明に係るＬ型ブロック基礎台で、Ｌ型ブロック基礎台７の水平上面に、ブロック側嵌合構造に嵌合する基礎側嵌合構造として、長手方向突起条２７を設けた実施例である。
【実施例２０】
【００３２】  図２６は、本発明に係るＬ型ブロック基礎台で、Ｌ型ブロック基礎台７の水平上面に、ブロック側嵌合構造に嵌合する基礎側嵌合構造として、幅方向嵌合溝２８設けた実施例である。
【実施例２１】
【００３３】  図２７は、本発明に係るＬ型ブロック基礎台で、Ｌ型ブロック基礎台７の水平上面に、ブロック側嵌合構造に嵌合する基礎側嵌合構造として、幅方向突起条２９を設けた実施例である。
【実施例２２】
【００３４】  図２８は、本発明に係るＬ型ブロック基礎台で、Ｌ型ブロック基礎台７の水平上面に、ブロック側嵌合構造に嵌合する基礎側嵌合構造として、二段状の長手方向段差３０を設けた実施例の斜視図である。
【実施例２３】
【００３５】  図２９は、本発明に係る基礎施工法に使用する成形基礎ブロック３２を示し、基礎コンクリート２３と連結する為にコンクリートを充填する複数の連結用充填孔３３と、擁壁用Ｌ型ブロック３の垂直壁底面に設けたＬコン側嵌合構造に嵌合する複数の嵌合突起２５を設けた実施例である。この成形基礎ブロック３２は、図３０に示す通り、基礎コンクリート２３を打込んだ直後、連結用充填孔３３位置部分の基礎コンクリート７を排除して、その上に重ね、コンクリートが凝固する前に、連結用充填孔３３から基礎コンクリート２３内までコンクリートを充填する。従って、基礎コンクリート７の造成の際、同時に施工する事ができるので有利であり、基礎コンクリート２３と強固に連結し固定する事ができる。
【図面の簡単な説明】
【００３６】
【図１】  本発明に係る擁壁用Ｌ型コンクリートブロックを利用した擁壁構築の基礎施工法を示す現場の概略平面図である。
【図２】  図１に示す基礎工法の長手方向Ａ−Ａ’の概略拡大断面図である。
【図３】  図１に示す基礎施工法の幅方向Ｂ−Ｂ’の概略拡大断面図である。
【図４】  本発明の基礎施工法により造成した基礎構造を示す幅方向の縦断面図である。
【図５】  本発明の基礎施工法により造成した基礎構造の上に、擁壁用Ｌ型コンクリートブロックを据付けた擁壁構築が完工した状態の縦断面図である。
【図６】  本発明に係る基礎施工法及び基礎構造が利用する擁壁用Ｌ型コンクリートの斜視図である。
【図７】  本発明に係る基礎施工法で使用する上面型枠の実施例を示し、複数の下向き突起と追加コンクリート充填用欠除部を設けた嵌合穴用型枠の斜視図である。
【図８】  本発明に係る基礎施工法で使用する上面型枠の実施例を示し、連続する長手方向下向き突起と追加コンクリート充填用欠除部を設けた長手方向嵌合溝用型枠の斜視図である。
【図９】  本発明に係る基礎施工法で使用する上面型枠の実施例を示し、幅方向下向き突起条と追加コンクリート充填用欠除部を設けた嵌合凹部用型枠の斜視図である。
【図１０】  本発明に係る基礎施工法で使用する上面型枠の実施例を示し、１個の下向き突起と追加コンクリート充填用欠除部を設けた単一嵌合穴用型枠の斜視図である。
【図１１】  本発明に係る基礎施工法で使用する上面型枠の実施例を示し、１個の幅方向下向き突起と追加コンクリート充填用欠除部を設けた単一嵌合凹部用型枠の斜視図である。
【図１２】  本発明に係る基礎施工法で使用する上面型枠の実施例を示し、２個の上向き筒体を設けた突起用型枠の斜視図である。
【図１３】  本発明に係る基礎施工法で使用する上面型枠の実施例を示し、対向する上向き突起枠と、その間に間隔部を設けた長手方向突起条用型枠の斜視図である。
【図１４】  本発明に係る基礎施工法で使用する上面型枠の実施例を示し、対向する上向き突起枠と、その間に間隔部を設けた幅方向突起条用型枠の斜視図である。
【図１５】  本発明に係る基礎施工法で使用する上面型枠の実施例を示し、１個の上向き筒体を設けた単一突起用型の斜視図である。
【図１６】  本発明に係る基礎施工法で使用する上面型枠の実施例を示し、突出した枠で囲まれた１個の上向き長孔を設けた単一突部用型枠の斜視図である。
【図１７】  本発明に係る基礎施工法で使用する上面型枠の実施例を示し、対向する上向き突起枠とその間の間隔部と平板を設けた段差用型枠の斜視図である。
【図１８】  本発明に係る基礎施工法を示し、上面型枠は、長手方向嵌合溝型枠を使用した実施例の幅方向断面図である。
【図１９】  本発明に係る基礎施工法を示し、上面型枠は、長手方向突起条用型枠を使用した実施例の幅方向断面図である。
【図２０】  本発明に係る基礎施工法を示し、上面型枠は、段差用型枠を使用した実施例の幅方向断面図である。
【図２１】  本発明に係る基礎施工法を示し、基礎コンクリート上のＬ型ブロック基礎台の上面を、下段が傾斜面に形成された二段の長手方向段差に構成し、下段段差に据付ける擁壁用Ｌ型ブロックを傾斜させた状態で固定する実施例の斜視図である。
【図２２】  本発明に係るＬ型ブロック基礎台を示し、上面に複数の嵌合穴を設けた実施例の斜視図である。
【図２３】  本発明に係るＬ型ブロック基礎台を示し、上面に複数の嵌合突起を設けた実施例の斜視図である。
【図２４】  本発明に係るＬ型ブロック基礎台を示し、上面に長手方向嵌合溝を設けた実施例の斜視図である。
【図２５】  本発明に係るＬ型ブロック基礎台を示し、上面に長手方向突起条を設けた実施例の斜視図である。
【図２６】  本発明に係るＬ型ブロック基礎台を示し、上面に幅方向嵌合溝を設けた実施例の斜視図である。
【図２７】  本発明に係るＬ型ブロック基礎台を示し、上面に幅方向突起条を設けた実施例の斜視図である。
【図２８】  本発明に係るＬ型ブロック基礎台を示し、上面に二段状の長手方向段差を設けた実施例の斜視図である。
【図２９】  本発明に係る基礎施工法に使用する成形基礎ブロックを示し、基礎コンクリートと連結する為のコンクリートを充填する複数の連結用充填孔と、擁壁用Ｌ型ブロックの垂直壁底面に設けたブロック側嵌合構造に嵌合する嵌合突起を設けた実施例の斜視図である。
【図３０】  図２９に例示した成形基礎ブロックを使用した、本発明に係るコンクリート基礎施工法を示し、連結充填孔からコンクリートを充填して、嵌合突起を有する成形基礎ブロックを、凝固前の基礎コンクリートに固定する施工状態図である。
【図３１】  従来の擁壁用ブロックと従来の基礎ブロックを使用した従来の基礎施工法の実施例を例示する縦断面図である。
【符号の説明】
【００３７】１．    長手方向型枠
２．    仕切り型枠
３．    擁壁用Ｌ型ブロック
３’．  従来の擁壁用Ｌ型ブロック
４．    上面型枠
４Ａ．  嵌合穴用型枠
４Ｂ．  長手方向嵌合溝用型枠
４Ｃ．  嵌合凹部用型枠
４Ｄ．  単一嵌合穴用型枠
４Ｅ．  単一嵌合凹部用型枠
４Ｆ．  突起用型枠
４Ｇ．  長手方向突起条用型枠
４Ｈ．  幅方向突起条用型枠
４Ｉ．  単一突起用型枠
４Ｊ．  単一突部用型枠
４Ｋ．  段差用型枠
５．    下向き突起
６．    嵌合穴
７．    Ｌ型ブロック基礎台
８．    垂直壁
９．    底板
１０．  コンクリート充填孔
１１．  支持部
１２．  Ｌコン嵌合凹部
１３．  上段地表
１４．  下段地表
１５．  長手方向下向き突起
１６．  幅方向下向き突起条
１７．  上向き筒体
１８．  間隔部
１９．  間隔支持片
２０．  上向き長孔
２１．  上向き突起枠
２２．  追加コンクリート
２３．  基礎コンクリート
２４．  埋め土
２５．  嵌合突起
２６．  長手方向嵌合溝
２７．  長手方向突起条
２８．  幅方向嵌合溝
２９．  幅方向突起条
３０．  長手方向段差
３１．  追加コンクリート充填用欠除部
３２．  成形基礎ブロック
３３．  連結用充填孔
３４．  連結コンクリート
３５．  従来のＬ型ブロックの基礎ブロック
３６．  基礎土
【図１】
2007170153.tif 000003
【図２】
2007170153.tif 000004
【図３】
2007170153.tif 000005
【図４】
2007170153.tif 000006
【図５】
2007170153.tif 000007
【図６】
2007170153.tif 000008
【図７】
2007170153.tif 000009
【図８】
2007170153.tif 000010
【図９】
2007170153.tif 000011
【図１０】
2007170153.tif 000012
【図１１】
2007170153.tif 000013
【図１２】
2007170153.tif 000014
【図１３】
2007170153.tif 000015
【図１４】
2007170153.tif 000016
【図１５】
2007170153.tif 000017
【図１６】
2007170153.tif 000018
【図１７】
2007170153.tif 000019
【図１８】
2007170153.tif 000020
【図１９】
2007170153.tif 000021
【図２０】
2007170153.tif 000022
【図２１】
2007170153.tif 000023
【図２２】
2007170153.tif 000024
【図２３】
2007170153.tif 000025
【図２４】
2007170153.tif 000026
【図２５】
2007170153.tif 000027
【図２６】
2007170153.tif 000028
【図２７】
2007170153.tif 000029
【図２８】
2007170153.tif 000030
【図２９】
2007170153.tif 000031
【図３０】
2007170153.tif 000032
【図３１】
2007170153.tif 000033